(57)【要約】【課題】  本発明は、画像を見るため頭部に装着して使用されるへッドマウントディスプレイに関し、画像を拡大縮小する操作を操作部材を視認することなく直感的に比較的容易に行うことを目的とする。【解決手段】  表示部を使用者の頭部に装着するための装着部と、前記装着部に設けられ、前後方向または上下方向への移動により前記表示部に表示される画像を拡大縮小するための操作を行う操作部材とを備えることを特徴とする。【選択図】      図１
2009194702.tif 000002
【特許請求の範囲】
【請求項１】
表示部を使用者の頭部に装着するための装着部と、
前記装着部に設けられ、前後方向または上下方向への移動により前記表示部に表示される画像を拡大縮小する操作を行う操作部材とを備えることを特徴とするへッドマウントディスプレイ。
【請求項２】
請求項１記載のへッドマウントディスプレイにおいて、
前記使用者の指の前後方向への移動により前記操作を行うことを特徴とするへッドマウントディスプレイ。
【請求項３】
請求項２記載のへッドマウントディスプレイにおいて、
前記装着部は、前後方向に延在され前記表示部が設けられる支持部材を備え、前記支持部材に前記操作部材が設けられていることを特徴とするへッドマウントディスプレイ。
【請求項４】
請求項２または請求項３記載のへッドマウントディスプレイにおいて、
前記操作部材は、前後方向に傾斜可能なレバー部材であることを特徴とするへッドマウントディスプレイ。
【請求項５】
請求項２または請求項３記載のへッドマウントディスプレイにおいて、
前記操作部材は、前後方向に回転可能なダイヤル部材であることを特徴とするへッドマウントディスプレイ。
【請求項６】
請求項２または請求項３記載のへッドマウントディスプレイにおいて、
前記操作部材は、前後方向に並んで配置される押圧部材であり、隣接する押圧部材を順に押圧することにより前記操作を行うことを特徴とするへッドマウントディスプレイ。
【請求項７】
請求項２または請求項３記載のへッドマウントディスプレイにおいて、
前記操作部材は、前後方向に移動可能なスライド部材であることを特徴とするへッドマウントディスプレイ。
【請求項８】
請求項２または請求項３記載のへッドマウントディスプレイにおいて、
前記操作部材は、タッチパネルであることを特徴とするへッドマウントディスプレイ。
【請求項９】
請求項１ないし請求項８のいずれか１項記載のへッドマウントディスプレイにおいて、
前記操作部材は、前記使用者の指の上下方向への移動により前記操作以外の操作を行う機能を有することを特徴とするへッドマウントディスプレイ。
【発明の詳細な説明】
【技術分野】
【０００１】
本発明は、画像を見るため頭部に装着して使用されるへッドマウントディスプレイに関する。
【背景技術】
【０００２】
従来、表示部に表示される画像を操作するための操作部材をへッドホーン等に設けたへッドマウントディスプレイが知られている。
【特許文献１】特開２００４−２３３７７６号公報
【発明の開示】
【発明が解決しようとする課題】
【０００３】
しかしながら、上述したようなへッドマウントディスプレイにおいて、画像を拡大縮小する操作部材を単にへッドホーン等に設けると、操作部材を直接視認することができないため、操作部材による拡大縮小の操作がし難いという問題があった。
【０００４】
本発明は、かかる従来の問題を解決するためになされたもので、画像を拡大縮小する操作を操作部材を視認することなく直感的に比較的容易に行うことができるへッドマウントディスプレイを提供することを目的とする。
【課題を解決するための手段】
【０００５】
第１の発明のへッドマウントディスプレイは、表示部を使用者の頭部に装着するための装着部と、前記装着部に設けられ、前後方向または上下方向への移動により前記表示部に表示される画像を拡大縮小するための操作を行う操作部材とを備えることを特徴とする。
【０００６】
第２の発明のへッドマウントディスプレイは、第１の発明のへッドマウントディスプレイにおいて、前記使用者の指の前後方向への移動により前記操作を行うことを特徴とする。
【０００７】
第３の発明のへッドマウントディスプレイは、第２の発明のへッドマウントディスプレイにおいて、前記装着部は、前後方向に延在され前記表示部が設けられる支持部材を備え、前記支持部材に前記操作部材が設けられていることを特徴とする。
【０００８】
第４の発明のへッドマウントディスプレイは、第２または第３の発明のへッドマウントディスプレイにおいて、前記操作部材は、前後方向に傾斜可能なレバー部材であることを特徴とする。
【０００９】
第５の発明のへッドマウントディスプレイは、第２または第３の発明のへッドマウントディスプレイにおいて、前記操作部材は、前後方向に回転可能なダイヤル部材であることを特徴とする。
【００１０】
第６の発明のへッドマウントディスプレイは、第２または第３の発明のへッドマウントディスプレイにおいて、前記操作部材は、前後方向に並んで配置される押圧部材であり、隣接する押圧部材を順に押圧することにより前記操作を行うことを特徴とする。
【００１１】
第７の発明のへッドマウントディスプレイは、第２または第３の発明のへッドマウントディスプレイにおいて、前記操作部材は、前後方向に移動可能なスライド部材であることを特徴とする。
【００１２】
第８の発明のへッドマウントディスプレイは、第２または第３の発明のへッドマウントディスプレイにおいて、前記操作部材は、タッチパネルであることを特徴とする。
【００１３】
第９の発明のへッドマウントディスプレイは、第１ないし第８のいずれか１の発明のへッドマウントディスプレイにおいて、前記操作部材は、前記使用者の指の上下方向への移動により前記操作以外の操作を行う機能を有することを特徴とする。
【発明の効果】
【００１４】
本発明によれば、画像を拡大縮小する操作を操作部材を視認することなく直感的に比較的容易に行うことができる。
【発明を実施するための最良の形態】
【００１５】
以下、本発明の実施形態を図面を用いて説明する。
(第１の実施形態)
図１は、本発明の第１の実施形態のへッドマウントディスプレイを示している。
【００１６】
このへッドマウントディスプレイは、表示部１１、装着部１３を有している。表示部１１は、使用者の右目に画像を表示する。装着部１３は、表示部１１を使用者の頭部Ｈに装着する。
【００１７】
装着部１３は、左右一対のスピーカ部１５、へッドバンド１７、支持部材１９を有している。左右一対のスピーカ部１５は、使用者の耳に音声を出力する。右側のスピーカ部１５には、へッドマウントディスプレイを制御する制御部２１が配置されている。へッドバンド１７は、左右一対のスピーカ部１５を連結する。支持部材１９は、表示部１１をスピーカ部１５に固定する。
【００１８】
支持部材１９の後部は、右側のスピーカ部１５に固定されている。支持部材１９の先端には表示部１１が固定されている。支持部材１９は、前後方向Ａに延在する長尺状をしている。支持部材１９の長手方向の中央には、操作部材２３が設けられている。操作部材２３の操作により表示部１１に表示される画像が拡大縮小される。操作部材２３は、使用者の指Ｆの前後方向Ａへの移動により操作される。ここで、使用者の指Ｆの前後方向Ａへの移動とは、へッドマウントディスプレイを頭部Ｈに装着した使用者が、使用者の指Ｆを使用者の前後方向Ａに移動することをいう。
【００１９】
このへッドマウントディスプレイは、へッドバンド１７を頭頂部から被るようにして装着し、左右一対のスピーカ部１５を両耳に当てることにより頭部Ｈに装着される。なお、へッドバンド１７の長さは調整できるようになっている。また、へッドバンド１７は弾力性を有し、２つのスピーカ部１５を両耳に押し付けて固定する機能を有している。すなわち、スピーカ部１５、へッドバンド１７、支持部材１９が、表示部１１を頭部Ｈに装着させる装着部１３となっている。
【００２０】
図２は、上述したへッドマウントディスプレイを示す機能ブロック図である。
【００２１】
へッドマウントディスプレイは、記憶部２５、接続部２７、操作部２９、ＣＰＵ３１、表示駆動部３３、音声信号出力部３５を有している。記憶部２５、接続部２７、操作部２９の一部、ＣＰＵ３１、表示駆動部３３、音声信号出力部３５は、上述した制御部２１に設けられている。
【００２２】
記憶部２５には、再生する映像情報と音声情報が記憶されている。接続部２７は、ケーブル等を介してパーソナルコンピュータ(以下パソコンという)等の外部機器に接続される。操作部２９は、電源のオン，オフ、表示コンテンツの変更、表示の一時停止等を行う複数のスイッチ(不図示)を有している。スイッチは、へッドバンド１７あるいはスピーカ部１５の適当な位置に設けることができる。また、操作部２９は、上述した操作部材２３を有している。操作部材２３を使用者の指Ｆの前後方向Ａへの移動により操作することにより表示部１１に表示される画像が拡大縮小される。
【００２３】
ＣＰＵ３１は、記憶部２５に記憶される映像情報を、操作部２９から入力される信号に従って処理し表示駆動部３３に出力する。表示駆動部３３は、ＣＰＵ３１からの映像情報を表示部１１の液晶ディスプレイ(ＬＣＤ)３７に表示する。また、ＣＰＵ３１は、記憶部２５に記憶される音声情報を、操作部２９から入力される信号に従って処理し音声信号出力部３５に出力する。音声信号出力部３５は、ＣＰＵ３１からの音声情報に基づいてスピーカ部１５のスピーカ３９を駆動する。
【００２４】
図３は、支持部材１９に配置される操作部材２３の詳細を示している。
【００２５】
この実施形態では、操作部材２３が、支持部材１９に沿って前後方向Ａに移動可能に配置されるスライド部材２３Ａとされている。スライド部材２３Ａは所定のストロークだけ前後方向Ａに移動可能とされている。スライド部材２３Ａを使用者の指Ｆの前後方向Ａへの移動により操作することにより表示部１１に表示される画像が拡大縮小される。
【００２６】
図３の(ａ)は、スライド部材２３Ａをストロークの最も前側に位置した状態を示している。この状態では、図３の(１)に示すように、液晶ディスプレイ３７には、画像が最も縮小された状態で表示される。
【００２７】
図３の(ｂ)は、スライド部材２３Ａをストロークの略中間に位置した状態を示している。この状態では、図３の(２)に示すように、液晶ディスプレイ３７には、図３の(１)の状態より拡大された状態で表示される。
【００２８】
図３の(ｃ)は、スライド部材２３Ａをストロークの最も後側に位置した状態を示している。この状態では、図３の(３)に示すように、液晶ディスプレイ３７には、画像が最も拡大された状態で表示される。
【００２９】
すなわち、この実施形態では、スライド部材２３Ａを使用者の指Ｆにより前側に向けて移動すると液晶ディスプレイ３７に表示される画像が順次縮小する。一方、スライド部材２３Ａを使用者の指Ｆにより後側に向けて移動すると、液晶ディスプレイ３７に表示される画像が順次拡大する。
【００３０】
なお、図３の(１)，(２)，(３)では、液晶ディスプレイ３７に表示される画像をリアルタイムで表示した例について説明したが、図３の(４)，(５)に示すように、スライド部材２３Ａの移動により枠４１の表示のみを拡大縮小し、スライド部材２３Ａが所定時間に亘って完全に停止した位置で実際に拡大縮小された画像を表示するようにしても良い。図３の(４)の枠４１内の画像は図３の(２)の画像に対応し、図３の(５)の枠４１内の画像は図３の(３)の画像に対応している。
【００３１】
上述したへッドマウントディスプレイでは、表示部１１の液晶ディスプレイ３７に表示される画像を拡大縮小する操作を、使用者の指Ｆを前後方向Ａに移動し、スライド部材２３Ａを前後方向Ａに移動する操作により行うようにしたので、画像を拡大縮小する操作を直感的に比較的容易に行うことができる。すなわち、へッドマウントディスプレイを頭部Ｈに装着し、眼前の表示部１１の画像を見ている使用者にとって、スライド部材２３Ａの前後方向Ａへの移動により画像が拡大縮小することは、ズームレンズ等の操作と同様に直感的なもので違和感が少なく操作がし易くなる。
【００３２】
また、前後方向Ａに延在され表示部１１を支持する支持部材１９にスライド部材２３Ａを設けたので、へッドマウントディスプレイを頭部Ｈに装着し、スライド部材２３Ａが見えない状態でも操作部材２３を比較的容易に前後方向Ａに移動することができる。すなわち、支持部材１９は前後方向Ａに延在され長尺状をしているため、支持部材１９に沿って指Ｆを移動することによりスライド部材２３Ａに指Ｆを比較的容易に掛けることができる。そして、スライド部材２３Ａに掛けた指Ｆを支持部材１９に沿って移動することによりスライド部材２３Ａを容易，確実に移動することができる。
(第２の実施形態)
図４は、本発明の第２の実施形態のへッドマウントディスプレイを示している。
【００３３】
なお、この実施形態において第１の実施形態と同一の要素には同一の符号を付して詳細な説明を省略する。また、この実施形態のへッドマウントディスプレイの機能ブロックは第１の実施形態と略同様であるので図２の機能ブロック図を援用する。
【００３４】
この実施形態では、映像ソースとしてパソコン４１が使用される。パソコン４１は、図２の接続部２７にケーブル４３を介して接続される。なお、無線で接続するようにしても良い。
【００３５】
この実施形態では、パソコン４１からの映像情報がＣＰＵ３１により処理され表示駆動部３３に出力される。また、パソコン４１からの音声情報がＣＰＵ３１により処理され音声信号出力部３５に出力される。そして、操作部材２３を前後方向Ａに移動すると表示部１１の液晶ディスプレイ３７に表示される画像が拡大縮小される。
(第３の実施形態)
図５は、本発明の第３の実施形態のへッドマウントディスプレイの操作部材２３を示している。なお、この実施形態において第１の実施形態と同一の要素には同一の符号を付して詳細な説明を省略する。
【００３６】
この実施形態では、操作部材２３が、前後方向Ａに傾斜可能なレバー部材２３Ｂとされている。レバー部材２３Ｂは支点を中心に前後方向Ａに所定角度だけ傾斜可能とされている。そして、任意の位置で停止可能とされている。また、この実施形態では、レバー部材２３Ｂは、支点を中心に上下方向(前後方向Ａに直交する方向)Ｂに所定角度だけ傾斜可能とされている。そして、任意の位置で停止可能とされている。
【００３７】
この実施形態では、使用者の指Ｆを前後方向Ａに移動して、レバー部材２３Ｂを前後方向Ａに傾斜することにより表示部１１に表示される画像が拡大縮小される。レバー部材２３Ｂが前側に最も傾斜している時に画像が最も縮小され、後側に最も傾斜している時に画像が最も拡大される。そして、レバー部材２３Ｂが停止した位置で画像の拡大縮小が停止され、その時のレバー部材２３Ｂの傾斜角に対応して画像の大きさが設定される。
【００３８】
また、使用者の指Ｆを上下方向Ｂに移動して、レバー部材２３Ｂを上下方向Ｂに傾斜し、この後、中央位置に戻すことにより表示部１１に表示される画像の拡大縮小に対する倍率変化が設定される。例えば、レバー部材２３Ｂを上側に最も傾斜した時に画像の倍率変化が最も大きくなり、レバー部材２３Ｂが前側に最も傾斜している時と後側に最も傾斜している時の画像の大きさの変化が最も大きくなる。一方、レバー部材２３Ｂを下側に最も傾斜した時に画像の倍率変化が最も小さくなり、レバー部材２３Ｂが前側に最も傾斜している時と後側に最も傾斜している時の画像の大きさの変化が最も小さくなる。なお、レバー部材２３Ｂの上下方向Ｂへの移動により他の別の操作を行うようにしても良い。また、レバー部材２３Ｂの上下方向Ｂへの移動により、画像の拡大縮小を行うようにしても良い。
(第４の実施形態)
図６は、本発明の第４の実施形態のへッドマウントディスプレイの操作部材２３を示している。なお、この実施形態において第１の実施形態と同一の要素には同一の符号を付して詳細な説明を省略する。
【００３９】
この実施形態では、操作部材２３が、前後方向Ａに回動可能なダイヤル部材２３Ｃとされている。ダイヤル部材２３Ｃは軸部(不図示)を中心にして前後方向Ａに所定角度だけ回動可能とされている。そして、任意の位置で停止可能とされている。また、この実施形態では、ダイヤル部材２３Ｃは、軸部(不図示)を中心に上下方向(前後方向Ａに直交する方向)Ｂに所定角度だけ傾斜可能とされている。そして、任意の位置で停止可能とされている。
【００４０】
この実施形態では、使用者の指Ｆを前後方向Ａに移動して、ダイヤル部材２３Ｃを前後方向Ａに回動することにより表示部１１に表示される画像が拡大縮小される。ダイヤル部材２３Ｃが前側に最も回動している時に画像が最も縮小され、後側に最も回動している時に画像が最も拡大される。そして、ダイヤル部材２３Ｃが停止した位置で画像の拡大縮小が停止され、その時のダイヤル部材２３Ｃの回動角に対応して画像の大きさが設定される。
【００４１】
また、使用者の指Ｆを上下方向Ｂに移動して、ダイヤル部材２３Ｃを上下方向Ｂに傾斜することにより表示部１１に表示される画像の拡大縮小に対する倍率変化が設定される。例えば、ダイヤル部材２３Ｃが上側に最も傾斜している時に画像の倍率変化が最も大きくなり、ダイヤル部材２３Ｃが前側に最も回動している時と後側に最も回動している時の画像の大きさの変化が最も大きくなる。一方、ダイヤル部材２３Ｃが下側に最も傾斜している時に画像の倍率変化が最も小さくなり、ダイヤル部材２３Ｃが前側に最も回動している時と後側に最も回動している時の画像の大きさの変化が最も小さくなる。なお、ダイヤル部材２３Ｃの上下方向Ｂへの傾斜により他の別の操作を行うようにしても良い。
(第５の実施形態)
図７は、本発明の第５の実施形態のへッドマウントディスプレイの操作部材２３を示している。なお、この実施形態において第１の実施形態と同一の要素には同一の符号を付して詳細な説明を省略する。
【００４２】
この実施形態では、操作部材２３が、支持部材１９の前後方向Ａに並んで配置される複数の押圧部材２３Ｄとされている。複数の押圧部材２３Ｄは、指Ｆにより軽く押圧可能であり、複数の押圧部材２３Ｄによりスイッチ群が形成されている。
【００４３】
この実施形態では、使用者の指Ｆを前後方向Ａに移動して、押圧部材２３Ｄを前後方向Ａに順次押圧することにより表示部１１に表示される画像が拡大縮小される。最も前側の押圧部材２３Ｄを押圧した時に画像が最も縮小され、最も後側の押圧部材２３Ｄを押圧した時に画像が最も拡大される。そして、最後に押圧した押圧部材２３Ｄに対応して画像の大きさが設定される。
(第６の実施形態)
図８は、本発明の第６の実施形態のへッドマウントディスプレイの操作部材２３を示している。なお、この実施形態において第１の実施形態と同一の要素には同一の符号を付して詳細な説明を省略する。
【００４４】
この実施形態では、操作部材２３が、支持部材１９の前後方向Ａに沿って形成されるタッチパネル２３Ｅとされている。タッチパネル２３Ｅには、指Ｆを接触可能であり、指Ｆの接触した部分の位置が位置信号としてＣＰＵ３１に出力され、位置信号に対応して画像が拡大縮小される。
【００４５】
この実施形態では、使用者の指Ｆを前後方向Ａに移動して、タッチパネル２３Ｅを前後方向Ａに順次接触することにより表示部１１に表示される画像が拡大縮小される。タッチパネル２３Ｅの最も前側に指Ｆを接触した時に画像が最も縮小され、タッチパネル２３Ｅの最も後側に指Ｆを接触した時に画像が最も拡大される。そして、最後に接触したタッチパネル２３Ｅの位置に対応して画像の大きさが設定される。
(第７の実施形態)
図９は、本発明の第７の実施形態のへッドマウントディスプレイの操作部材２３を示している。なお、この実施形態において第１の実施形態と同一の要素には同一の符号を付して詳細な説明を省略する。
【００４６】
この実施形態では、操作部材２３が、円筒状の筒状部材２３Ｆとされている。筒状部材２３Ｆは、円柱状の支持部材１９に前後方向Ａに移動可能に被嵌されている。そして、任意の位置で停止可能とされている。また、筒状部材２３Ｆは、支持部材１９を中心に上下方向(前後方向Ａに直交する方向)Ｂに所定角度だけ回動可能とされている。そして、任意の位置で停止可能とされている。
【００４７】
この実施形態では、使用者の指Ｆを前後方向Ａに移動して、筒状部材２３Ｆを前後方向Ａに移動することにより表示部１１に表示される画像が拡大縮小される。筒状部材２３Ｆが前側に最も移動している時に画像が最も縮小され、後側に最も移動している時に画像が最も拡大される。そして、筒状部材２３Ｆが停止した位置で画像の拡大縮小が停止され、その時の筒状部材２３Ｆの位置に対応して画像の大きさが設定される。
【００４８】
また、使用者の指Ｆを上下方向Ｂに移動して、筒状部材２３Ｆを上下方向Ｂに回動することにより表示部１１に表示される画像の拡大縮小に対する倍率変化が設定される。例えば、筒状部材２３Ｆが上側に最も回動している時に画像の倍率変化が最も大きくなり、筒状部材２３Ｆが前側に最も移動している時と後側に最も移動している時の画像の大きさの変化が最も大きくなる。一方、筒状部材２３Ｆが下側に最も回動している時に画像の倍率変化が最も小さくなり、筒状部材２３Ｆが前側に最も移動している時と後側に最も移動している時の画像の大きさの変化が最も小さくなる。なお、筒状部材２３Ｆの上下方向Ｂへの回動により他の別の操作を行うようにしても良い。
(実施形態の補足事項)
以上、本発明を上述した実施形態によって説明してきたが、本発明の技術的範囲は上述した実施形態に限定されるものではなく、例えば、以下のような形態でも良い。
【００４９】
(１)上述した実施形態では、支持部材１９をスピーカ部１５に単に固定した例について説明したが、例えば、支持部材をスピーカ部に対して回転可能に固定し、使用時にのみ支持部材を前後方向に向けて配置するようにしても良い。
【００５０】
(２)上述した実施形態において、支持部材１９を伸縮可能に構成し、支持部材を伸ばした時に操作部材２３を操作可能にしても良い。
【００５１】
(３)上述した実施形態では、支持部材１９に操作部材２３を配置した例について説明したが、例えば、前後方向に移動可能な操作部材をスピーカ部１５に配置しても良い。
【図面の簡単な説明】
【００５２】
【図１】本発明のへッドマウントディスプレイの第１の実施形態を示す説明図である。
【図２】図１のへッドマウントディスプレイの機能ブロックを示す説明図である。
【図３】図１の操作部材の詳細を示す説明図である。
【図４】本発明のへッドマウントディスプレイの第２の実施形態を示す説明図である。
【図５】本発明のへッドマウントディスプレイの第３の実施形態を示す説明図である。
【図６】本発明のへッドマウントディスプレイの第４の実施形態を示す説明図である。
【図７】本発明のへッドマウントディスプレイの第５の実施形態を示す説明図である。
【図８】本発明のへッドマウントディスプレイの第６の実施形態を示す説明図である。
【図９】本発明のへッドマウントディスプレイの第７の実施形態を示す説明図である。
【符号の説明】
【００５３】
１１…表示部、１３…装着部、１５…スピーカ部、１９…支持部材、２３…操作部材、２３Ａ…スライド部材、２３Ｂ…レバー部材、２３Ｃ…ダイヤル部材、２３Ｄ…押圧部材、２３Ｅ…タッチパネル、２３Ｆ…筒状部材、３１…ＣＰＵ、３７…液晶ディスプレイ、Ｆ…指、Ｈ…頭部。
【図１】
2009194702.tif 000003
【図２】
2009194702.tif 000004
【図３】
2009194702.tif 000005
【図４】
2009194702.tif 000006
【図５】
2009194702.tif 000007
【図６】
2009194702.tif 000008
【図７】
2009194702.tif 000009
【図８】
2009194702.tif 000010
【図９】
2009194702.tif 000011